【事件の表示】
　平成　４年特許願第　９０３２４号「屋上植栽基盤」拒絶査定不服審判事件〔平成　５年１０月１２日出願公開、特開平　５−２６０８４９〕について、次のとおり審決する。
【結　論】
　本件審判の請求は、成り立たない。
【理　由】
１． 手続きの経緯、本願発明
　本願は、平成４年３月１６日の出願であって、平成１４年７月９日付けで拒絶査定がなされ、これに対し、同年８月１２日に拒絶査定に対する審判請求がなされたものであり、その請求項１乃至請求項３に係る発明は、当審で提出された平成１６年７月１２日付け手続補正書により全文補正された明細書及び図面の記載からみて、その特許請求の範囲の請求項１乃至請求項３に記載されたとおりのものと認められるところ、請求項１に係る発明（以下、「本願発明」という。）は以下のとおりである。　
　
【請求項１】屋上の床を構成する防水処理前のコンクリートスラブの上面に植栽基盤用の凹部を形成し、該凹部を含む前記防水処理前のコンクリートスラブ表面に該コンクリートスラブ自体を防水する床構造部のための防水層を敷設し、該床構造部のための防水層をそのまま植栽用の貯水のための防水層とし、該防水層の表面上に、保水性を有する石質の多孔質板を並べて設置し、該多孔質板に前記防水層の押さえと植栽のための保水の役目をもたせ、該多孔質板上に植栽用盛土層を重ね、屋内から植栽基盤を通しての熱の移動を可能にしたことを特徴としてなる屋上植栽基盤。
　
２．当審の拒絶理由
　一方、当審において平成１６年４月２７日付けで通知した拒絶の理由の概要は、本願発明は、本願の出願前に頒布された刊行物である下記の引用例１乃至７に記載された発明に基づいて当業者が容易に発明をすることができたものであるから、特許法第２９条第２項の規定により特許を受けることができない、というものである。　
　
引用例１：実願昭６２−７６８８７号（実開昭６３−１８６１５０号）のマイクロフィルム
引用例２：特開昭４８−１０３３２０号公報
引用例３：特開昭５７−２２６２１号公報
引用例４：実願昭５９−１６７０１７号（実開昭６１−８０６４０号）のマイクロフィルム
引用例５：特開昭６３−１６４８１８号公報
引用例６：特開平２−２７６５１３号公報
引用例７：実願昭５０−９５１７４号（実開昭５２−１０８３９号）のマイクロフィルム
　
３．引用例に記載された発明
（１）引用例１
　引用例１［実願昭６２−７６８８７号（実開昭６３−１８６１５０号）のマイクロフィルム］には、図面とともに、次の事項が記載されている。
(1-1)「この考案はビル、デパート、一般住宅等、各種の建物の屋上、ルーフバルコニー、ベランダ等に樹木を植裁するための床に関する。」（第１頁第１５−１７行）
(1-2)「図中、符号１は建物の屋上部の一部であり、この屋上部１の外向上面２へ防水板３を敷く。この実施例の建物はビルデイングであり、外向上面２は１／１００の勾配を有する屋上面である。」（第３頁第５−８行）
(1-3)「さらにこの実施例の防水板３は発泡樹脂板であり、具体的には厚さ２０ｍｍの発泡スチロール板であるが、他にも不透水性であればよく、シート状、マット状のものを含む。そして第２図示のように防水板３上へ複数枚の板材４，４，４…を間隔をもつて載置する。板材４は、直径が５ｍｍ〜８ｍｍの発泡スチロール球４０を多数個、接着剤で連結して厚さ１５ｍｍ〜２０ｍｍの板状にしたもので、この実施例ではハイドレン（商標名、日産化学株式会社製）を用いる。板材４，４，４…の間で、しかも防水板３上へは複数本の多孔パイプ５，５‥を載置する。」（第３頁第１３行−第４頁第５行）
(1-4)「そして板材４，４，４…および多孔パイプ５，５…上へ不織布６を添接する。この実施例の不織布６はポリプロピレン長繊維不織布であるが、透水性の大きいものであればよい。なお、前述の不織布例やグラスファイバーのような化学繊維を素材とする方が、藁のような天然素材のものより、水溶性がなく、劣化せず、より好都合である。そして不織布６上へ軽量土壌７を盛土するとともに樹木８を定植する。」（第４頁第１３行−第５頁第１行）
(1-5)「この軽量土壌７は真珠岩を粒状にして高温で発泡焼成し、しかも樹木の生育に必要な活着剤、ミネラル、微量要素を含有せしめて成る軽量なもので、…」（第５頁第２−５行）
(1-6)「このようにこの考案は軽量であるから、荷重制限のある建物の植裁床として効果的で、施工しやすく、また自然土と異なり、上述の軽量土壌を用いるから、樹木の種類、植裁条件等により、有効な成分をあらかじめ調整することができ、樹木の生育に効果的であり、さらに土壌自体の物理的性質および板材、パイプの多孔性により、通水性が良く、水分飽和になるおそれがないとともに板材により平均的に排水でき、土壌をぬかるみ状にしたり、樹木を倒したりせず、しかも防水板により建物の外向上面に透水させることがなく、建物に悪影響を及ぼすことがなく、また保水性、通水性が良いため樹木の生育効果が大きく、さらに発泡スチロール球を板状にして用いるから、広範囲にわたつて通水、通気が可能であるとともに極めて容易かつ迅速に施工できるものである。」（第８頁第８行−第９頁第３行）
　以上の記載によれば、引用例１には、
「屋上面に防水板３を敷設し、該防水板３上に、発泡スチロール球を多数個連結して形成した複数枚の板材４を並べて載置し、該板材４上に軽量土壌７を重ねてなる屋上植栽床」との発明（以下、「引用発明」という。）が開示されているものと認められる。
（２）引用例２
　引用例２［特開昭４８−１０３３２０号公報］には、図面とともに、次の事項が記載されている。
(2-1)「本発明はビルの屋上空間を利用した芝生造園法に関し、屋上防水機能を高度に維持すると共に、屋上に於ける芝生の育成及び維持を可能とした新規な発明に係る。」（第１頁左欄第１７−２０行）
(2-2)「２は均しモルタル３を介して施工された防水層（塗布防水あるいはシート防水など）であり、」（第１頁右欄第１６−１８行）
(2-3)「而して、本発明に於いては、ビル屋上の芝生庭園造園に当り屋上を形成するコンクリートスラブ１上に露出防水施工２をなし、該防水層２上に、排水孔７を有する脚６付ブロック４…を所要域にわたって据付敷設し以って、芝生植生用下地盤８を形成し、土壌層を形成したので、………又、ブロック４の脚５の存在により、防水層２と下地盤８との間に造園全域にわたり空間９を形成することができ、この空間９を利用して、上記ブロック４の排水孔７により土壌層１１から滲出した水を排出することができる。」（第２頁右上欄第５行−左下欄第１行）
(2-4)　図面には、コンクリートスラブ１の上面端縁からパラペット等の立ち上がり部を形成し、防水層２がコンクリートスラブ１から立ち上がり部にまで施されていることが記載されている。
（３）引用例３
　引用例３［特開昭５７−２２６２１号公報］には、図面とともに、次の事項が記載されている。
(3-1)「本発明はビルの屋上等の緑化工法に関するものである。」（第３頁左欄第１１−１２行）
(3-2)　第１図及び第２図には、ビルの屋上１の上面端縁からパラペット２を立ち上げていることが記載されている。
（４）引用例５
　引用例５［特開昭６３−１６４８１８号公報］には、図面とともに、次の事項が記載されている。
(4-1)「建造物などの表面に、空隙の多い透水性コンクリートを打設、または吹付け、または予め該透水性コンクリートを成形したパネルを定着せしめ、雨水または強制散水によって該透水性コンクリートの表面アルカリ成分を洗い流したのち、植物種子の吹付け、散布、自然生え、または植生し、さらに植物の生存に必要な水分の補給を可能ならしめて、該透水性コンクリートに植物を活着せしめ、建造物などの表面を緑化せしめることを特徴とする建造物などの表面緑化法。」（第１頁左欄第５−１４行）
(4-2)「第１図はビルの屋上に本発明を施工した例を示す概要図である。ビル１の屋上コンクリート板２の表面に遮断層３を設け、該遮断層３の表面に透水性コンクリートのパネル４を定着せしめる。………遮断層は屋上コンクリート板２が植物の同化作用によって劣化するのを防止するとともに、余剰水、肥料などによる悪影響を遮断せしめるものである。パネル４に用いる透水性コンクリートの粗骨材は気泡性の軽量骨材で軽量化を計り、保水効果を有するものを用いる。」（第２頁左上欄第６−１６行）
　
４．本願発明と引用発明との対比・検討
　本願発明と、引用発明とを対比すると、引用発明の「軽量土壌７」「屋上植栽床」は、それぞれ、本願発明における「植裁用盛土層」「屋上植裁基盤」に相当する。
　また、引用発明の「屋上面」と、本願発明の「屋上の床を構成する防水処理前のコンクリートスラブの上面に植栽基盤用の凹部を形成し、該凹部を含む前記防水処理前のコンクリートスラブ表面」とは、「屋上の床を構成するコンクリートスラブの表面」で共通する。
　また、引用発明の「防水板３」「板材４」は、それぞれ本願発明の「防水層」「石質の多孔質板」に対応する。
　また、引用発明の「発泡スチロール球を多数個連結して形成した板材４」と、本願発明の「石質の多孔質板」とは、「多孔質板」であることで共通する。
　そうすると、本願発明と引用発明の両者は「屋上の床を構成するコンクリートスラブ表面に防水層を敷設し、該防水層の表面上に、多孔質板を並べて設置し、該多孔質板上に植栽用盛土層を重ねてなる屋上植栽基盤」である点で一致し、
　以下の点で相違しているものと認められる。
・ 相違点１
　防水層を、本願発明では、防水処理前のコンクリートスラブの上面に植裁基盤用の凹部を形成し、該凹部を含む前記防水処理前のコンクリートスラブ表面に該コンクリートスラブ自体を防水する床構造部のために、且つ、植裁用の貯水のために敷設しているのに対し、引用発明では、屋上面に凹部が形成されているか不明であり、防水処理前の屋上部１の表面に、床構造部のために、又は、植裁用の貯水のために敷設しているか否かも不明である点。
・ 相違点２
　本願発明は、多孔質板が、防水層の押さえと植裁のための保水の役目を有する石質の多孔質板であり、屋内から植裁基盤を通しての熱の移動を可能としているのに対し、引用発明は、多孔質板が、発泡スチロール球を多数個連結して形成した板材４であり、該板材４が防水層の押さえと植裁のための保水の役目を有するか否か不明であり、屋内から植裁基盤を通しての熱の移動を可能としているのかも不明である点。
　
　上記相違点について検討する。
i. 相違点１について
　屋上の床を構成するコンクリートスラブの上面端縁部に、パラペット等の立ち上がり部を形成し、該立ち上がり部とコンクリートスラブとで、屋上に凹部を形成することは、引用例２，３等に記載されているように周知技術であり、引用発明における屋上面に凹部を形成して当該凹部を植裁基盤用のものとすることは、当業者にとって格別困難なことではない。
　また、引用発明を認定した引用例１には、屋上面に予め防水処理を施してから防水板３を敷設することの記載はないが、防水板３がシート状であることの示唆があることからして、引用発明における防水板３を、防水処理前のコンクリートスラブの上面に敷設して、コンクリートスラブ自体を防水する防水層とすることは当業者が格別困難なく想起し得た事項であり、前述したように屋上面に凹部が形成されていれば、凹部の底面と内側面とに防水処理が施されるのであるから、この防水層が植裁用の貯水のために機能することは、当業者にとって自明な事項にすぎない。
ii. 相違点２について
　引用例５には、保水と軽量化を目的として、ビル１の屋上コンクリート板２の表面に設けられた遮断層３の表面に、粗骨材が気泡性の軽量骨材である透水性コンクリートパネル４を載置していることが記載されており、遮断層３は余剰水などのコンクリートへの悪影響を遮断するのであるから防水層に他ならず、また透水性コンクリートパネル４は粗骨材として気泡性の軽量骨材を用いているのであるから石質の多孔質板に他ならない。
　そうすると、引用例５には、屋上のコンクリートスラブ自体を防水する防水層の表面上に石質の多孔質板を設置したという構成が記載されていると認められる。
　また、大谷石は例示するまでもなく周知である。
　そして、引用例５に記載の当該構成等を考慮すれば、引用発明における発泡スチロール球を多数個連結して形成した多孔質の板材に代えて石質の多孔質板を用いることは、植裁基盤の軽量化や保水・放熱効果等の実現の観点より、最適な材料を選択したに過ぎないものであるので、相違点２に係る本願発明の構成とすることは、当業者にとって格別困難なことではない。
　なお、引用発明における多孔質板としての板材４が、発泡スチロール球を多数個連結して形成され断熱性を有するものであるとしても、若干でも、その表裏において熱の移動は可能であり、更に、引用例１の植裁基盤の多孔パイプ５が配置され板材４が存在していない箇所においては断熱性が低く熱移動が可能であるといえるので、引用発明は、屋内から植栽基盤を通しての熱の移動が「不可能」ではなく「可能」であるというべきであり、「屋内から植栽基盤を通しての熱の移動を可能にした」という構成を備えているものともいえる。
　仮に、本願発明が、出願人が意見書で主張する「スラブを通しての放熱」及び「寒冷地における植裁の良好な生育」という効果を奏するとしても、その効果は、引用発明の板材として、発泡スチロール球を多数個連結して形成した板材より断熱性が劣る石質の多孔質板を採用すれば、必然的に生ずる効果であるとともに、当業者が当然予測することが可能なものである。
　
　そして、本願発明に係る作用効果は、引用発明及び引用例５に記載の発明に基づいて、当業者が予測し得るものである。
　したがって、本願発明は、引用発明及び引用例５に記載の発明に基づいて当業者が容易に発明することができたものである。
　
５．むすび
　以上のとおり、本願発明は、引用発明及び引用例５に記載の発明に基づいて当業者が容易に発明をすることができたものと認められるので、特許法第２９条第２項の規定により特許を受けることができない。
　請求項１に係る発明が特許を受けることができないものである以上、この特許出願について拒絶をすべき旨の査定をしなければならないから、請求項２，３に係る発明については検討するまでもないものである。
　よって、結論のとおり審決する。